(57)【要約】【課題】光コネクタの接合端面を確実に清浄化することが可能な光コネクタ清掃工具の提供。【解決手段】清掃体の供給及び巻き取りを行う送り機構が組み込まれた工具本体と、前記工具本体から突出する挿入部と、前記挿入部の先端において清掃体と前記光コネクタの接合端面とを対向させて当接させるコネクタ清掃用アタッチメント２４０とを備えている。コネクタ清掃用アタッチメント２４０は、前記挿入部の先端に装着される本体部２４１と、本体部２４１に開閉可能に結合された蓋部２４２とを備えている。本体部２４１は、光コネクタ６０のフェルール６１および／またはヘッド部材２２３が挿通する挿通孔２４３ａを有する基板部２４３と、基板部２４３から後方に延出する工具側ガイド筒部２４５とを有する。工具側ガイド筒部２４５は、ヘッド部材２２３が挿入されて位置決めされる。【選択図】図８０
2010164997.tif 000002
【特許請求の範囲】
【請求項１】
光コネクタの接合端面を、清掃体の送り移動により拭き取り清掃する光コネクタ清掃工具であって、
前記清掃体の供給及び巻き取りを行う送り機構が組み込まれた工具本体と、
前記工具本体から突出する挿入部と、
前記挿入部の先端において清掃体と前記光コネクタの接合端面とを対向させて当接させるコネクタ清掃用アタッチメントとを備え、
前記挿入部が、前記清掃体を前記接合端面に押し当てる押圧面を有するヘッド部材と、前記ヘッド部材が挿通する挿入筒体とを有し、
前記コネクタ清掃用アタッチメントは、前記挿入部の先端に装着される本体部と、この本体部に開閉可能に結合された蓋部とを備え、
前記本体部が、前記光コネクタのフェルールおよび／または前記ヘッド部材が挿通する挿通孔を有する基板部と、前記基板部から前記挿入部の突出方向とは反対の方向に延出する工具側ガイド筒部とを有し、
前記工具側ガイド筒部は、前記ヘッド部材が挿入されて位置決めされるように形成されていることを特徴とする光コネクタ清掃工具。
【請求項２】
前記基板部には、前記フェルールが挿入可能なコネクタ側ガイド筒部が前記突出方向に延出して形成され、
前記蓋部は、頂板部と、その周縁から延出して前記本体部にヒンジ部でヒンジ結合された蓋筒部とを備え、前記蓋筒部が、閉止状態において前記コネクタ側ガイド筒部を囲んで形成され、
前記蓋筒部の内面には、切り欠きが形成され、
この切り欠きは、前記蓋部を前記ヒンジ部において開閉動作する際に前記コネクタ側ガイド筒部の一部が内部を通過するように形成されていることを特徴とする請求項１に記載の光コネクタ清掃工具。
【請求項３】
前記本体部は、前記基板部から延出し前記挿入筒体が挿入される外筒部を有することを特徴とする請求項１または２に記載の光コネクタ清掃工具。
【発明の詳細な説明】
【技術分野】
【０００１】
本発明は、コネクタ用位置決めハウジング内の光コネクタの接合端面を、清掃体の送り移動によって清掃する光コネクタ清掃工具に関する。
本願は、２００７年２月２８日に日本に出願された特願２００７−４９０２８号、２００７年３月２３日に日本に出願された特願２００７−７７９５４号、２００７年７月２３日に日本に出願された特願２００７−１９１０８７号、２００７年１２月７日に日本に出願された特願２００７−３１７６９６号、２００７年１２月７日に日本に出願された特願２００７−３１７６９７号に基づき優先権を主張し、その内容をここに援用する。
【背景技術】
【０００２】
周知のように、アダプタやレセプタクルなどのコネクタ用位置決めハウジング内での光コネクタ同士の接続は、各光コネクタの接合端面に臨む光ファイバの端面同士を突き合わせることで実現される。
コネクタ用位置決めハウジングに光コネクタを挿入して突き合わせ接続する際、光コネクタの接合端面にゴミや埃、油分などの汚れが付着していると、着脱時の損傷や、伝送損失の増大などの原因になるため、突き合わせ接続に先立って、接合端面を清掃する必要がある。
【０００３】
この種の用途に用いられる光コネクタ清掃工具としては、光コネクタの接合端面に清掃体を接触させて、清掃するものがある（例えば、特許文献１）。
特許文献１に記載されたクリーナーは、ケースと、このケースから突出したピンとを備えている。このピンは、モータ、バッテリーなどからなる回転手段によって回転するようになっている。
このクリーナーでは、ピンの先端部を光コネクタの接合端面に接触させ、回転手段を駆動させることによって、ピンを回転させつつ清掃体を送り移動させ、接合端面を清掃することができる。
【先行技術文献】
【特許文献】
【０００４】
【特許文献１】特開２００２−９０５７６号公報
【発明の概要】
【発明が解決しようとする課題】
【０００５】
光コネクタ清掃工具では、清掃体によって光コネクタの接合端面を確実に清浄化することが要望されている。
本発明は、前記課題に鑑みてなされたもので、光コネクタの接合端面を確実に清浄化することが可能な光コネクタ清掃工具の提供を目的とする。
【課題を解決するための手段】
【０００６】
本発明の光コネクタ清掃工具は、光コネクタの接合端面を、清掃体の送り移動により拭き取り清掃する光コネクタ清掃工具であって、前記清掃体の供給及び巻き取りを行う送り機構が組み込まれた工具本体と、前記工具本体から突出する挿入部と、前記挿入部の先端において清掃体と前記光コネクタの接合端面とを対向させて当接させるコネクタ清掃用アタッチメントとを備え、前記挿入部が、前記清掃体を前記接合端面に押し当てる押圧面を有するヘッド部材と、前記ヘッド部材が挿通する挿入筒体とを有し、前記コネクタ清掃用アタッチメントは、前記挿入部の先端に装着される本体部と、この本体部に開閉可能に結合された蓋部とを備え、前記本体部が、前記光コネクタのフェルールおよび／または前記ヘッド部材が挿通する挿通孔を有する基板部と、前記基板部から前記挿入部の突出方向とは反対の方向に延出する工具側ガイド筒部とを有し、前記工具側ガイド筒部は、前記ヘッド部材が挿入されて位置決めされるように形成されている。
【０００７】
本発明の光コネクタ清掃工具は、前記基板部には、前記フェルールが挿入可能なコネクタ側ガイド筒部が前記突出方向に延出して形成され、前記蓋部は、頂板部と、その周縁から延出して前記本体部にヒンジ部でヒンジ結合された蓋筒部とを備え、前記蓋筒部が、閉止状態において前記コネクタ側ガイド筒部を囲んで形成され、前記蓋筒部の内面には、切り欠きが形成され、この切り欠きは、前記蓋部を前記ヒンジ部において開閉動作する際に前記コネクタ側ガイド筒部の一部が内部を通過するように形成されている構成としてもよい。
【０００８】
前記本体部は、前記基板部から延出し前記挿入筒体が挿入される外筒部を有することが好ましい。
【発明の効果】
【０００９】
本発明によれば、コネクタ清掃用アタッチメントの本体部に、ヘッド部材が挿入されて位置決め可能な工具側ガイド筒部を形成することによって、清掃体と光コネクタの接合端面とを精度よく対向させて当接させることができる。このため、優れた清掃効果を得ることができる。
また、蓋筒部に、蓋部を開閉動作する際に、コネクタ側ガイド筒部が内部を通過する切り欠きを形成することによって、蓋部の外径を大きくせずに、開閉の際に蓋部がコネクタ側ガイド筒部に当たらないようにすることができる。このため、小型化が可能となる。
【図面の簡単な説明】
【００１０】
【図１】本発明に係る光コネクタ清掃工具の一実施形態を示す正面図である。
【図２Ａ】図１に示す清掃工具の側面図である。
【図２Ｂ】図１に示す清掃工具の前面図である。
【図２Ｃ】図１に示す清掃工具の正面図である。
【図３】図１に示す光コネクタ清掃工具の挿入部の要部を示す斜視図である。
【図４】図１に示す光コネクタ清掃工具の挿入部の先端部の拡大図である。
【図５】図１に示す光コネクタ清掃工具において、清掃体を外した状態の挿入部の先端部の拡大図である。
【図６】図１に示す光コネクタ清掃工具を適用可能な光プラグおよび光アダプタを示す断面図である。
【図７】図１に示す光コネクタ清掃工具の使用方法を示す工程図である。
【図８】前図に続く工程図である。
【図９】前図に続く工程図である。
【図１０】本発明に係る光コネクタ清掃工具の他の実施形態の斜視図である。
【図１１Ａ】図１０に示す光コネクタ清掃工具を示す正面図である。
【図１１Ｂ】図１０に示す光コネクタ清掃工具を示す側面図である。
【図１２】図１０に示す光コネクタ清掃工具の分解斜視図である。
【図１３Ａ】図１０に示す光コネクタ清掃工具の回転機構の支持体を示す正面図である。
【図１３Ｂ】図１０に示す光コネクタ清掃工具の回転機構の支持体を示す側面図である。
【図１３Ｃ】図１０に示す光コネクタ清掃工具の回転機構の支持体を示す背面図である。
【図１４】図１０に示す光コネクタ清掃工具の回転機構の支持体を示す斜視図である。
【図１５】図１０に示す光コネクタ清掃工具の回転機構の回転シャフトを示す斜視図である。
【図１６】図１０に示す光コネクタ清掃工具の回転機構の回転シャフトの要部を拡大した斜視図である。
【図１７】図１０に示す光コネクタ清掃工具のヘッド部材を示す斜視図である。
【図１８Ａ】図１０に示す光コネクタ清掃工具のヘッド部材の前面図である。
【図１８Ｂ】図１０に示す光コネクタ清掃工具のヘッド部材の正面図である。
【図１９】図１０に示す光コネクタ清掃工具の回転機構の回転シャフトおよびその先端に取り付けられたヘッド部材を示す一部断面図である。
【図２０】図１０に示す光コネクタ清掃工具の送り機構を示す正面図である。
【図２１】図１０に示す光コネクタ清掃工具の送り機構の側面図である。
【図２２】図１０に示す光コネクタ清掃工具の送り機構の支持部を示す正面図である。
【図２３】図１０に示す光コネクタ清掃工具の送り機構の供給リールおよび巻取リールに用いられるボビンを示す斜視図である。
【図２４Ａ】図１０に示す光コネクタ清掃工具の送り機構の巻取リールに用いられるギアを示すもので、一方側から見た斜視図である。
【図２４Ｂ】図１０に示す光コネクタ清掃工具の送り機構の巻取リールに用いられるギアを示すもので、他方側から見た斜視図である。
【図２５Ａ】図１０に示す光コネクタ清掃工具の挿入筒体の筒体先端部を示す断面図である。
【図２５Ｂ】図１０に示す光コネクタ清掃工具の挿入筒体の筒体先端部を示す正面図である。
【図２６Ａ】図１０に示す光コネクタ清掃工具の挿入筒体の筒体基部を示す断面図である。
【図２６Ｂ】図１０に示す光コネクタ清掃工具の挿入筒体の筒体基部を示す正面図である。
【図２６Ｃ】図１０に示す光コネクタ清掃工具の挿入筒体の筒体基部を示す前面図である。
【図２６Ｄ】図１０に示す光コネクタ清掃工具の挿入筒体の筒体基部を示す下面図である。
【図２７】図１０に示す光コネクタ清掃工具の動作を説明する一部断面図である。
【図２８】図１０に示す光コネクタ清掃工具の動作を説明する一部断面図である。
【図２９】図１０に示す光コネクタ清掃工具の動作を説明する一部断面図である。
【図３０】図１０に示す光コネクタ清掃工具の動作を説明する一部断面図である。
【図３１】図１０に示す光コネクタ清掃工具の挿入部を伸長させた状態を示す正面図である。
【図３２】本発明に係る光コネクタ清掃工具の一実施形態を示す斜視図である。
【図３３】図３２に示す光コネクタ清掃工具の要部を拡大した斜視図である。
【図３４Ａ】図３２に示す光コネクタ清掃工具の前面図である。
【図３４Ｂ】図３２に示す光コネクタ清掃工具の背面図である。
【図３４Ｃ】図３２に示す光コネクタ清掃工具の側面図である。
【図３４Ｄ】図３２に示す光コネクタ清掃工具の正面図である。
【図３５】図３２に示す光コネクタ清掃工具の分解斜視図である。
【図３６Ａ】図３２に示す光コネクタ清掃工具の回転機構の支持体を示す正面図である。
【図３６Ｂ】図３２に示す光コネクタ清掃工具の回転機構の支持体を示す側面図である。
【図３６Ｃ】図３２に示す光コネクタ清掃工具の回転機構の支持体を示す背面図である。
【図３７】図３２に示す光コネクタ清掃工具の支持体の斜視図である。
【図３８】図３２に示す光コネクタ清掃工具の回転機構の回転シャフトを示す斜視図である。
【図３９】図３２に示す光コネクタ清掃工具の回転シャフトの要部を拡大した斜視図である。
【図４０】図３２に示す光コネクタ清掃工具のヘッド部材を一方側から見た斜視図である。
【図４１】図３２に示す光コネクタ清掃工具のヘッド部材を他方側から見た斜視図である。
【図４２】図３２に示す光コネクタ清掃工具のヘッド部材の正面図である。
【図４３】図３２に示す光コネクタ清掃工具のヘッド部材の平面図である。
【図４４】図３２に示す光コネクタ清掃工具のヘッド部材の平断面図である。
【図４５】図３２に示す光コネクタ清掃工具のヘッド部材の前面図である。
【図４６】図３２に示す光コネクタ清掃工具のヘッド部材の後面図である。
【図４７】図３２に示す光コネクタ清掃工具の回転シャフトおよびその先端に取り付けられたヘッド部材を示す一部断面図である。
【図４８】図３２に示す光コネクタ清掃工具の送り機構を示す斜視図である。
【図４９】図３２に示す光コネクタ清掃工具の挿入筒体の筒体基部を示す斜視図である。
【図５０】図３２に示す光コネクタ清掃工具の挿入筒体の筒体先端部を示す斜視図である。
【図５１】図３２に示す光コネクタ清掃工具の使用方法を示す工程図である。
【図５２】前図に続く工程図である。
【図５３】前図に続く工程図である。
【図５４】図３２に示す光コネクタ清掃工具の回転シャフトの動作を示す説明図である。
【図５５】図３２に示す光コネクタ清掃工具の回転シャフトの動作を示す説明図である。
【図５６】図３２に示す光コネクタ清掃工具の動作を説明する一部断面図である。
【図５７】図３２に示す光コネクタ清掃工具の動作を説明する一部断面図である。
【図５８Ａ】図３２に示す光コネクタ清掃工具の動作を説明する一部断面図である。
【図５８Ｂ】図３２に示す光コネクタ清掃工具の動作を説明する一部断面図である。
【図５８Ｃ】図３２に示す光コネクタ清掃工具の動作を説明する一部断面図である。
【図５９Ａ】図３２に示す光コネクタ清掃工具の動作を説明する斜視図である。
【図５９Ｂ】図３２に示す光コネクタ清掃工具の動作を説明する正面図である。
【図６０Ａ】図３２に示す光コネクタ清掃工具の動作を説明する斜視図である。
【図６０Ｂ】図３２に示す光コネクタ清掃工具の動作を説明する正面図である。
【図６１Ａ】図３２に示す光コネクタ清掃工具の動作を説明する斜視図である。
【図６１Ｂ】図３２に示す光コネクタ清掃工具の動作を説明する正面図である。
【図６２】図３２に示す光コネクタ清掃工具を示す斜視図である。
【図６３】図３２に示す光コネクタ清掃工具の挿入部を伸長させた状態を示す斜視図である。
【図６４】ヘッド部材の他の例を一方側から見た斜視図である。
【図６５】図６５に示すヘッド部材の拡大図である。
【図６６】図６５に示すヘッド部材の正面図である。
【図６７】図６５に示すヘッド部材の平面図である。
【図６８】図６５に示すヘッド部材の平断面図である。
【図６９】図６５に示すヘッド部材の前面図である。
【図７０】図６５に示すヘッド部材の後面図である。
【図７１Ａ】本発明の清掃工具の一実施形態の前面図である。
【図７１Ｂ】図７２Ａに示す清掃工具の背面図である。
【図７１Ｃ】図７２Ａに示す清掃工具の側面図である。
【図７１Ｄ】図７２Ａに示す清掃工具の正面図である。
【図７２】清掃工具の分解斜視図である。
【図７３】コネクタ清掃用アタッチメントを示す正面図である。
【図７４】コネクタ清掃用アタッチメントを示す断面図である。
【図７５】コネクタ清掃用アタッチメントの前面図である。
【図７６】コネクタ清掃用アタッチメントの後面図である。
【図７７】コネクタ清掃用アタッチメントの斜視図である。
【図７８】コネクタ清掃用アタッチメントの断面状態の斜視図である。
【図７９】コネクタ清掃用アタッチメントの断面図であって、蓋部を開閉動作する際の切り欠きの軌跡を示す図である。
【図８０】コネクタ清掃用アタッチメントに光コネクタを装着した状態を示す断面図である。
【図８１】清掃工具の動作を説明する一部断面図である。
【図８２】回転シャフトの他の例を示す斜視図である。
【図８３】コネクタ清掃用アタッチメントの他の例を示す斜視図である。
【図８４】前図に示すコネクタ清掃用アタッチメントを示す断面図である。
【発明を実施するための形態】
【００１１】
以下、本発明を実施した光コネクタ清掃工具を、図面を参照して説明する。
図１〜図５は、本発明の光コネクタ清掃工具（以下、単に「清掃工具」ともいう）の一実施形態を示す図である。
図１は、この実施形態の清掃工具１の正面図である。図２Ａ〜図２Ｃは、それぞれ清掃工具１の側面図、前面図、正面図である。図３は、清掃工具１の挿入部２０の要部を示す斜視図である。図４は、挿入部２０の先端部の拡大図である。図５は、清掃体２を外した状態の挿入部２０の先端部の拡大図である。
図６は、清掃工具１が適用される光コネクタプラグ６０（光コネクタ。以下、単に光プラグともいう）と、光コネクタアダプタ７０（コネクタ用位置決めハウジング。以下、単に光アダプタともいう）を示す図である。
【００１２】
図６に示すように、光プラグ６０は、フェルール６１をスリーブ状のハウジング６２の先端部に収容した構成の光コネクタプラグである。
フェルール６１の接合端面６１ａの中央部には、光ファイバ穴６１ｂ（微細孔）が開口している。光ファイバ穴６１ｂには、光ファイバ６３が挿通しており、光ファイバ６３の先端は接合端面６１ａに露出している。
光ファイバ６３は、例えば光ファイバ心線の先端部の被覆樹脂を除去した光ファイバ裸線であり、光ファイバ６３は、これにより他の光コネクタと突き合わせ接続可能に成端されている。
フェルールとしては、周知の単心光フェルール、例えばＳＣ型フェルール、ＳＣフェルールなどが使用できる。
なお、フェルール６１は、先端に向かって細くなる形状であっても良いが、図６では、例示的に、円筒状のフェルール６１を示した。
【００１３】
光アダプタ７０は、コネクタ収容穴７２を有するスリーブ状に形成されており、コネクタ挿入口７１から光プラグ６０を挿入することにより、コネクタ収容穴７２内に収容することができるようになっている。
光プラグ６０は、光アダプタ７０のコネクタ挿入口７１から挿入されると、挿入方向からずれた方向への変位を規制されつつ、コネクタ収容穴７２に収容される。
光アダプタ７０は、両端から２つの光プラグ６０が挿入されると、フェルール６１同士が突き合わされ、光ファイバ６３同士が光接続されるように構成されている。
図６に示す符号７３は、光アダプタで一般的に用いられている位置決め用の割りスリーブを示す。
【００１４】
図１に示すように、清掃工具１は、工具本体１０と、この工具本体１０から突出した挿入部２０とを備えている。
なお、以下の説明において、図１における左方を前方といい、右方を後方ということがある。
図１〜図５に示すように、挿入部２０は、挿入筒体２１と、挿入筒体２１内に挿通するヘッド部材２３とを備えている。
挿入筒体２１は、円筒状の基筒部２１ａと、基筒部２１ａの先端から前方に延びる円筒状の先端筒部２１ｂとを有する。
先端筒部２１ｂは、基筒部２１ａより細く形成され、コネクタ収容穴７２に挿入したときに位置決めされるように形成するのが好ましい。
【００１５】
図３〜図５に示すように、ヘッド部材２３は、清掃体２を光プラグ６０の接合端面６１ａに押し当てるためのもので、図示例では円筒状に形成されている。
ヘッド部材２３の先端面は、清掃体２を接合端面６１ａに押し当てる押圧面２４である。図示例では、押圧面２４はほぼ平坦とされ、略円形とされている。
押圧面２４には、清掃体２の送り移動をガイドするガイド溝２５を形成するのが好ましい。ガイド溝２５は、清掃体２の位置決め機構として機能し、清掃体２の脱落や位置ずれを防ぐことができる。
ガイド溝２５は、清掃体２が接合端面６１ａに当接可能となるように、清掃体２の直径より浅く形成される。
図５、図６に示すように、ヘッド部材２３の側面には、清掃体２の送り移動をガイドするガイド溝２６Ａ、２６Ｂを形成するのが好ましい。
ヘッド部材２３の先端部は、先端筒部２１ｂから突出している。
【００１６】
ヘッド部材２３には、供給リール３０から引き出された清掃体２が巻き回されている。具体的には、図１に示すように、清掃体２は、工具本体１０内の供給リール３０から、挿入筒体２１内を通ってヘッド部材２３の押圧面２４を経由し、巻取リール３１に達している。
清掃体２は、特に限定されるものではなく、公知の適当な清浄布（不織布や織布）を糸状に加工したものを採用することができる。例えば、ポリエステルやナイロンなどの極細の繊維で構成されたものが例示できる。
清掃体２としては、例えば直径０．１〜１ｍｍ、好ましくは０．２〜０．３ｍｍのものが好適である。なお、清掃体２としては、細巾のテープ状のものを用いることもできる。
【００１７】
図１に矢印で示すように、挿入部２０は、工具本体１０に対して、伸縮方向に移動可能である。すなわち、実線で示す通常位置Ｐ１から、仮想線で示す短縮位置Ｐ２まで移動可能である。
【００１８】
図１に示すように、工具本体１０は、プラスチック等からなるケース体１１と、その内部に設けられた送り機構３と、ヘッド部材２３を回転させる回転機構３４とを備えている。
送り機構３は、清掃体２を送り移動させるもので、清掃体２を巻装した供給リール３０と、使用後の清掃体２を巻き取って回収する巻取リール３１とを有する。
ケース体１１には、供給リール３０が回転可能に装着される供給リール支持軸３２と、巻取リール３１が回転可能に装着される巻取リール支持軸３３とが設けられている。
【００１９】
回転機構３４は、挿入部２０が通常位置Ｐ１から短縮位置Ｐ２に向けて短縮方向に移動することによって、ヘッド部材２３を軸回りに回転させるように構成される。
回転機構３４は、例えば、挿入部２０の移動によりギヤ（図示略）が回転し、このギヤによりヘッド部材２３が軸回りに回転駆動する構成が可能である。
回転機構３４の構成は、挿入部２０の移動に連動してヘッド部材２３を回転させる機構であれば、特に限定されない。
【００２０】
回転機構３４は、巻取リール３１を回転させることができるように構成するのが好ましい。例えば、挿入部２０の移動によりギヤ（図示略）が回転し、このギヤにより、挿入部２０に連動して巻取リール３１が回転する機構を採用できる。
なお、本発明では、手動により操作可能な操作ダイヤルを設け、この操作ダイヤルの操作によって巻取リール３１を回転させる構成も可能である。
図１における符号３６は、ケース体１１内面に形成されて清掃体２をガイドする円筒状のガイド部である。
【００２１】
次に、清掃工具１の使用方法の一例として、光アダプタ７０内に収容された光プラグ６０の接合端面６１ａを清掃する手順を説明する。
図６〜図８に示すように、清掃工具１の挿入部２０の先端筒部２１ｂを光アダプタ７０のコネクタ挿入口７１から挿入すると、先端筒部２１ｂは、外面が光アダプタ７０の内壁７０ａにより位置決めされながらコネクタ収容穴７２に進入する。
これによって、押圧面２４上の清掃体２は、光プラグ６０の接合端面６１ａの適切な位置（ここでは、光ファイバ穴６１ｂとその周辺）に当接する。
【００２２】
図９に示すように、工具本体１０をさらに挿入方向に押圧すると、工具本体１０は、この方向に移動する。この際、挿入部２０の先端は、フェルール６１や光アダプタ７０内の壁部に押され、工具本体１０に対する挿入部２０の相対位置は、通常位置Ｐ１から短縮位置Ｐ２に向けて移動することになる（図１参照）。
この挿入部２０の移動に連動して、回転機構３４によりヘッド部材２３が軸回りに回転する。このため、清掃体２は接合端面６１ａに当接した状態のままヘッド部材２３の軸回りに回転し、接合端面６１ａが拭き取り清掃される。
【００２３】
工具本体１０の挿入方向への移動の際には、巻取リール３１が回転駆動し、これに伴って、清掃体２が供給リール３０から引き出され、ヘッド部材２３の押圧面２４を通って送り移動され、巻取リール３１に巻き取られる。このため、接合端面６１ａに付着しているゴミや埃、油分などの汚れが、清掃体２により確実に拭き取られる。
清掃後には、清掃工具１を挿入したときと反対の方向（離脱方向）に引くことにより、挿入部２０をコネクタ収容穴７２から引き抜くことができる。
【００２４】
清掃工具１は、挿入部２０を光アダプタ７０のコネクタ収容穴７２に挿入し、その挿入方向に工具本体１０を移動させるだけで、接合端面６１ａを清掃できる。コネクタ収容穴７２への挿入部２０の挿入と、ヘッド部材２３の回転とを一連の動作で行うことができるため、操作が容易である。
また、回転機構３４が、工具本体１に対する挿入部２０の相対的な移動によってヘッド部材２３を軸回りに回転させるようになっているので、モータを用いてヘッド部材を回転させるタイプのものに比べ、回転機構３４の構成が簡略となる。
従って、工具本体１０のサイズを小さくでき、全体を小型化できる。
【００２５】
図１０〜図２６Ｄは、本発明の清掃工具の第２の実施形態を示すものである。
図１０は、この実施形態の清掃工具１Ａの斜視図である。図１１Ａ、図１１Ｂは、それぞれ清掃工具１Ａの正面図および側面図である。図１２は、清掃工具１Ａの分解斜視図である。図１３Ａ〜図１３Ｃは、回転機構５の支持体５１を示すもので、それぞれ正面図、側面図、背面図である。図１４は、支持体５１の斜視図である。図１５は、回転機構５の回転シャフト５２を示す斜視図である。図１６は、回転シャフト５２の要部を拡大した斜視図である。図１７は、ヘッド部材２３の斜視図である。図１８Ａ、図１８Ｂは、ヘッド部材２３の前面図および正面図である。図１９は、回転シャフト５２およびその先端に取り付けられたヘッド部材２３を示す一部断面図である。図２０は、送り機構３を示す正面図である。図２１は、送り機構３の側面図である。図２２は、送り機構３の支持部３５を示す正面図である。図２３は、供給リール３０および巻取リール３１に用いられるボビン３７を示す斜視図である。図２４Ａ、図２４Ｂは、巻取リール３１に用いられるギア３８を示すもので、図２４Ａは一方側から見た斜視図、図２４Ｂは他方側から見た斜視図である。図２５Ａ、図２５Ｂは、挿入筒体２１の筒体先端部２９を示すもので、それぞれ断面図、正面図である。図２６Ａ〜図２６Ｄは、挿入筒体２１の筒体基部２２を示すもので、それぞれ断面図、正面図、前面図、下面図である。図２６Ａは、図２６ＢにおけるＡ−Ａ断面矢視図である。
【００２６】
図１０〜図１２に示すように、清掃工具１Ａは、工具本体１０と、この工具本体１０から突出した挿入部２０とを備えている。なお、以下の説明において、図１１Ａ、図１１Ｂにおける左方を前方といい、右方を後方ということがある。
工具本体１０は、ケース体１１と、その内部に設けられた送り機構３と、ヘッド部材２３を回転させる回転機構５とを備えている。
【００２７】
ケース体１１は、断面略矩形の筒状に形成され、側板部１１ａの後部には、後述する位置決め凸部５７が挿入される位置決め開口部１２が形成されている。
位置決め開口部１２は、前後方向に沿うスリット状に形成され、前端および後端には、それぞれ位置決め凸部５７が嵌合する第１および第２嵌合凹部１３、１４が形成されている。
図１０〜図１２に示す状態では、位置決め凸部５７が、位置決め開口部１２の後端に形成された第２嵌合凹部１４に嵌合することによって、送り機構３および回転機構５が位置決めされている。
【００２８】
図１２〜図１６に示すように、回転機構５は、支持体５１と、支持体５１に対し軸回りに回転可能な回転シャフト５２とを備えている。
支持体５１は、前後方向に沿う長板状の基板５３と、基板５３の内面５３ａに突出して形成された挿入凸部５４と、基板５３の両側縁部から内面５３ａ側に延出して形成された側板５５と、一方の側板５５に形成された鋸歯状のギア受け部５６と、基板５３の外面５３ｂに形成された位置決め凸部５７と、基板５３の後端縁部から内面５３ａ側に延出して形成された後端板５８と、後端板５８の前面５８ａに前方に突出して形成された保持凸部５９とを備えている。
【００２９】
図１３Ａ〜図１３Ｃおよび図１４に示すように、ギア受け部５６は、一方の側板部５５の内面に、他方の側板５５に向けて突出して形成された複数の受け歯部５６ａからなる。受け歯部５６ａは、支持体５１の長さ方向（前後方向）に配列されている。
挿入凸部５４は、略円筒状に形成されている。挿入凸部５４の突出高さおよび外径は、回転筒部８２のカム溝８５に嵌合可能となるように設定されている。
【００３０】
図１５および図１６に示すように、回転シャフト５２は、ガイド筒部８１と、ガイド筒部８１の後端に設けられた回転筒部８２とを備えている。
回転シャフト５２内には、清掃体２が挿通する挿通孔８３が形成されている。挿通孔８３は断面略円形とされ、ガイド筒部８１の前端から回転筒部８２の後端にわたって形成されている。
図１６に示すように、ガイド筒部８１は略円筒状に形成され、前端部にはヘッド部材２３の基部２７が嵌合可能となっている。ガイド筒部８１の前端部の内面には、肉厚に形成された回転止部８４が形成されている。
【００３１】
図１５に示すように、回転筒部８２は略円筒状に形成され、その外面には、支持体５１の挿入凸部５４が挿入されるカム溝８５が形成されている。
カム溝８５は、前後方向にわたって、少なくとも一部が回転筒部８２の軸方向に対し傾斜して形成されている。このため、回転シャフト５２が前後方向に移動すると、回転筒部８２がカム溝８５に沿って移動することによって、回転シャフト５２は軸回りに回転する。
【００３２】
図１７〜図１９に示すように、ヘッド部材２３は、基部２７と、基部２７の前端から延出する略円筒状の先端部２８とを備えている。
先端部２８の先端面は、清掃体２を接合端面６１ａに押し当てる押圧面２４である。押圧面２４には、清掃体２の送り移動をガイドするガイド溝２５を形成するのが好ましい。
先端部２８および基部２７の側面には、清掃体２の送り移動をガイドするガイド溝２６Ａ、２６Ｂを形成するのが好ましい。先端部２８の先端部は、先端筒部２１ｂから突出している。
【００３３】
基部２７は、ガイド筒部８１の挿通孔８３に挿入される挿入部９１と、挿入部９１の前端に形成されたフランジ部９２とを有する。
挿入部９１には、ガイド筒部８１に形成された回転止部８４に即した形状の切欠部９３が形成されており、切欠部９３が回転止部８４に係止することで、ヘッド部材２３がガイド筒部８１に対して回転しないようになっている。
図１９に示すように、清掃体２は、供給リール３０から、挿入筒体２１内を通ってヘッド部材２３の押圧面２４を経由し、巻取リール３１に巻き取られるようになっている。
図１９における符号９４は、ガイド筒部８１の前端とフランジ部９２との間に設けられた付勢手段（例えばコイルスプリング）である。付勢手段９４は、ヘッド部材２３を接合端面６１ａに押し当てたときにヘッド部材２３を前方に付勢するように構成することができる。
【００３４】
図２０〜図２２に示すように、送り機構３は、清掃体２を巻装した供給リール３０と、使用後の清掃体２を巻き取って回収する巻取リール３１と、これらが回転可能に装着される支持部３５と、巻取リール３１に装着されるギア３８と、支持部３５に形成された保持筒部３９と、保持筒部３９に装着された付勢手段４０（例えばコイルスプリング）を備えている。
支持部３５は、前後方向に沿う長板状の基板４１と、基板４１の内面４１ａに設けられて供給リール３０が回転可能に装着される供給リール支持軸３２と、巻取リール３１が回転可能に装着される巻取リール支持軸３３と、基板４１の長さ方向中間部から内面４１ａ側に延出して形成された仕切板４２と、基板４１の後端部から内面４１ａ側に延出して形成された後端板４３と、基板４１の一方の側縁部から内面４１ａ側に延出して形成された側板４４とを備えている。
【００３５】
仕切板４２には、清掃体２が通過する通過凹部４２ａが形成されている。
供給リール支持軸３２は、仕切板４２より後方に形成されている。巻取リール支持軸３３は、供給リール支持軸３２より後方に形成されている。
側板４４の内面には、後方に延出する２つの延出板４５、４５が形成され、延出板４５の先端には、それぞれリール３０、３１に向けて突出する係止爪４５ａ、４５ａが形成されている。延出板４５は弾性的に曲げ変形可能であり、延出板４５の曲げ変形によって、係止爪４５ａはリール３０、３１に対し接近および離間する方向に移動する。
基板４１の前端には、後述する挿入筒体２１の筒体基部２２の嵌合突起９７ａが嵌合する切欠４１ｂが形成されている。
保持筒部３９は円筒状に形成され、後端板４３の後面から後方に延出して形成されている。
付勢手段４０の前端は後端板４３に当接し、後端は支持体５１の保持凸部５９に嵌合した状態で後端板部５８に当接している（図２９および図３０を参照）。
【００３６】
図２３に示すように、供給リール３０および巻取リール３１は、ボビン３７からなる。ボビン３７は、清掃体２が巻き付けられる胴部４７と、胴部４７の一端に設けられた第１端板４８と、胴部４７の他端に設けられた第２端板４９と、第１端板４８に設けられた係止歯部５０とを備えている。
係止歯部５０は、周方向に沿って配列された複数の歯部５０ａを備え、延出板４５の係止爪４５ａが歯部５０ａに係合することにより、ボビン３７の逆方向回転が阻止される。
第２端板４９には、周方向に沿って配列された複数の係止凸部４９ａが形成されている。
ボビン３７は、胴部４７に支持軸３２、３３を挿通させることによって支持部３５に装着される。
【００３７】
図２４Ａ、図２４Ｂに示すように、ギア３８は、円板状の基板８７と、基板８７の一方の面に形成された歯車部８８とを有する。基板８７の他方の面には、ボビン３７の係止凸部４９ａに係止する係止突起８７ａが形成されている。
歯車部８８は、周方向に沿って配列された複数の歯部８８ａを有し、これら歯部８８ａは、支持体５１のギア受け部５６に嵌合可能である。
ギア３８は、巻取リール３１として用いられるボビン３７の第２端板４９に重ねて設置される。基板８７の係止突起８７ａは第２端板４９の係止凸部４９ａに係止するため、ギア３８の回転に従ってボビン３７も回転するようになる。
【００３８】
図１２に示すように、挿入筒体２１は、筒体基部２２と、その先端に設けられた筒体先端部２９とを備えている。
図２５Ａ、図２５Ｂに示すように、筒体先端部２９は、円筒状の基筒部２１ａと、基筒部２１ａの先端から前方に延びる円筒状の先端筒部２１ｂとを有し、筒体基部２２に対し着脱可能とすることができる。
先端筒部２１ｂは、基筒部２１ａより細く形成され、コネクタ収容穴７２に挿入したときに位置決めされるように形成するのが好ましい。
基筒部２１ａの後端には、筒体基部２２に形成された嵌合凹部２２ａに嵌合する嵌合凸部２１ｃが形成されているため、筒体先端部２９の回転が阻止される。
【００３９】
図２６Ａ〜図２６Ｄに示すように、筒体基部２２は、挿通筒部９６と、挿通筒部９６の後端に設けられた保持枠部９７とを備えている。
筒体基部２２内には、回転シャフト５２が挿通する挿通孔９８が形成されている。
挿通筒部９６は、略円筒状に形成され、回転シャフト５２のガイド筒部８１が挿通するようになっている。
保持枠部９７は、断面矩形の筒状に形成され、その内部に回転シャフト５２の回転筒部８２を収容できる。
保持枠部９７を構成する４つの側板９９のうちひとつである側板９９ａには、送り機構３の支持部３５の切欠４１ｂに嵌合する嵌合突起９７ａが形成されている。
側板９９ａに対向する側板９９ｂには、前後方向に沿って、回転機構５の支持体５１の挿入凸部５４が挿入されるスリット１００が形成されている（図２０を参照）。
保持枠部９７は、送り機構３の仕切板４２の前面に当接可能な位置に設けることができる。
【００４０】
送り機構３および回転機構５は、ケース体１１内で移動可能とされている。
図１０〜図１２に示す状態では、回転機構５の支持体５１の位置決め凸部５７が、ケース体１１の位置決め開口部１２の後端に形成された第２嵌合凹部１４に嵌合しているため、送り機構３および回転機構５は、ケース体１１内の比較的後方に位置決めされている。この位置を後方位置という。
【００４１】
位置決め凸部５７を押圧して第２嵌合凹部１４に対する嵌合を解除し、位置決め開口部１２に沿って前方に移動させ、第１嵌合凹部１３に嵌合させることによって、送り機構３および回転機構５を前記後方位置よりも前方に位置決めすることができる。この位置を前方位置という。
送り機構３および回転機構５を前方位置に配置することによって、挿入部２０も前方に移動させて位置決めすることができる。
図３１は、挿入部２０が前方位置にある状態の清掃工具１Ａを示すものである。
この状態では、工具本体１０から延出する部分の挿入部２０を長くできる。このため、清掃作業の際に、対象となる光アダプタ７０に近接する他の光アダプタ７０に悪影響が及ぶことを防ぐことができる。
【００４２】
図１０〜図１２に示すように、挿入部２０の先端には、先端筒部２１ｂを覆うキャップ１５を装着できる。キャップ１５は、先端板部１６と、その周縁から延出する筒部１７とを備えている。キャップ１５の使用によって、ヘッド部材２３を保護できる。
【００４３】
次に、清掃工具１Ａの使用方法の一例を説明する。
図６〜図８および図２７に示すように、挿入部２０の先端筒部２１ｂを光アダプタ７０のコネクタ挿入口７１から挿入すると、先端筒部２１ｂは、外面が光アダプタ７０の内壁７０ａにより位置決めされながらコネクタ収容穴７２に進入する。
これによって、押圧面２４上の清掃体２は、光プラグ６０の接合端面６１ａの適切な位置（ここでは、光ファイバ穴６１ｂとその周辺）に当接する。
【００４４】
図２７および図２８に示すように、工具本体１０をさらに挿入方向に押圧すると、工具本体１０は、この方向に移動する。この際、挿入部２０の先端は、フェルール６１や光アダプタ７０内の壁部に押され、工具本体１０に対する挿入部２０の相対位置は、通常位置Ｐ１から短縮位置Ｐ２に向けて移動する（図１を参照）。
この挿入部２０の移動によって、回転シャフト５２は支持体５１に対し後方に移動する。
これによって、回転筒部８２がカム溝８５に沿って移動し、回転シャフト５２は軸回りに回転する。
回転シャフト５２の回転によって、ヘッド部材２３が軸回りに回転するため、清掃体２は接合端面６１ａに当接した状態のままヘッド部材２３の軸回りに回転し、接合端面６１ａが拭き取り清掃される。
【００４５】
図２９および図３０に示すように、工具本体１０の挿入方向への移動の際には、挿入部２０に押されて送り機構３も後方に移動する。
送り機構３が支持体５１に対し移動するため、ギア受け部５６によって、ギア３８の歯車部８８に回転方向の力が与えられる。ギア３８の回転によって、巻取リール３１も回転するため、清掃体２が巻き取られる。
これに伴って、清掃体２が供給リール３０から引き出され、ヘッド部材２３の押圧面２４を通って送り移動される。１回の工具本体１０の移動による清掃体２の巻き取り長さは、一定量となる。
清掃体２の送り移動によって、接合端面６１ａに付着しているゴミや埃、油分などの汚れが確実に拭き取られる。
【００４６】
挿入方向への押圧を停止し、挿入部２０を光アダプタ７０から引き抜く際には、挿入部２０は、付勢手段４０の弾性力によって短縮位置Ｐ２から通常位置Ｐ１に移動する（図１を参照）。
【００４７】
清掃工具１Ａでは、支持体５１と、支持体５１に対し軸回りに回転可能な回転シャフト５２とを備えた回転機構５を備えている。
回転シャフト５２は、支持体５１に形成された挿入凸部５４が挿入されるカム溝８５が形成された回転筒部８２を備えており、前後方向の移動により回転筒部８２がカム溝８５に沿って移動することによって軸回りに回転するようにされているので、簡単な機構でヘッド部材２３を軸回りに回転させることができる。
回転機構５の構造が簡略であるため、工具本体１０のサイズを小さくでき、全体を小型化できる。
【００４８】
清掃工具１Ａでは、送り機構３が、供給リール３０と、巻取リール３１と、巻取リール３１に装着されるギア３８とを備えている。ギア３８は、ギア受け部５６に嵌合可能であり、送り機構３が移動することによりギア受け部５６により回転し、巻取リール３１を回転させて清掃体２を巻き取ることができる。このため、簡単な機構で清掃体２を送り移動させることができる。
送り機構３の構造が簡略であるため、工具本体１０のサイズを小さくでき、全体を小型化できる。
【００４９】
清掃工具１Ａでは、挿入筒体２１が、筒体基部２２と、これに着脱可能な筒体先端部２９とを備えているので、光アダプタ７０のコネクタ収容穴７２の形状に応じた形状の先端筒部２１ｂを有する筒体先端部２９を使用することができる。
従って、複数のタイプの光アダプタ７０に適用可能である。
【００５０】
本発明は、種々のタイプの光ファイバコネクタに適用することができ、例えば、ＪＩＳ  Ｃ  ５９７３に制定されるＳＣ形光コネクタ（ＳＣ：Ｓｉｎｇｌｅ  ｆｉｂｅｒ  Ｃｏｕｐｌｉｎｇ  ｏｐｔｉｃａｌ  ｆｉｂｅｒ  ｃｏｎｎｅｃｔｏｒ）、ＪＩＳ  Ｃ  ５９８３に制定されるＭＵ形光コネクタ（ＭＵ：ＭｉｎｉａｔｕｒｅーＵｎｉｔ  ｃｏｕｐｌｉｎｇ  ｏｐｔｉｃａｌ  ｆｉｂｅｒ  ｃｏｎｎｅｃｔｏｒ）、ＬＣ形光コネクタ（ルーセント社商標）、ＳＣ２形光コネクタ等の単心光コネクタに適用することができる。ＳＣ２形光コネクタとは、ＳＣ形光コネクタから、ハウジングの外側に装着されるつまみを省略したものである。
【００５１】
図示例では、光アダプタ７０および光プラグ６０を対象としたが、本発明の清掃工具の対象はこれに限定されず、光コネクタレセプタクル（詳細には、レセプタクルハウジング）を、コネクタ用位置決めハウジングとして機能させた構成も採用可能である。
この場合には、スリーブ状のレセプタクルハウジング内に組み込まれたフェルールが本発明に係る光コネクタとして機能する。レセプタクルハウジングの内側空間であるコネクタ収容穴に、清掃工具の挿入部を挿入することで、フェルールの接合端面を清掃できる。
【００５２】
以下、本発明の清掃工具の第３の実施形態である清掃工具１０１の構造を説明する。
図３２は、清掃工具１０１の斜視図である。図３３は、清掃工具１０１の要部を拡大した斜視図である。図３４Ａ〜図３４Ｄは、それぞれ清掃工具１０１の前面図、背面図、側面図、および正面図である。図３５は、清掃工具１０１の分解斜視図である。図３６Ａ〜図３６Ｃは、支持体１５１を示すもので、それぞれ正面図、側面図、背面図である。図３７は、支持体１５１の斜視図である。図３８は、回転機構１０５の回転シャフト１５２を示す斜視図である。図３９は、回転シャフト１５２の要部を拡大した斜視図である。図４０は、ヘッド部材１２３を一方側から見た斜視図である。図４１は、ヘッド部材１２３を他方側から見た斜視図である。図４２は、ヘッド部材１２３の正面図である。図４３は、ヘッド部材１２３の平面図である。図４４は、ヘッド部材１２３の平断面図である。図４５は、ヘッド部材１２３の前面図である。図４６は、ヘッド部材１２３の後面図である。図４７は、回転シャフト１５２およびその先端に取り付けられたヘッド部材１２３を示す一部断面図である。図４８は、送り機構１０３を示す分解斜視図である。図４９は、挿入筒体１２１の筒体基部１２２を示す斜視図である。図５０は、挿入筒体１２１の筒体先端部１２９を示す斜視図である。
【００５３】
図３２〜図３５に示すように、清掃工具１０１は、工具本体１１０と、この工具本体１１０から突出した挿入部１２０とを備えている。なお、以下の説明において、図３２に示すように、挿入部１２０の先端方向（挿入方向）を前方といい、その反対方向を後方ということがある。
【００５４】
工具本体１１０は、ケース体１１１と、その内部に設けられた支持体１５１と、清掃体１０２の供給及び巻き取りを行う送り機構１０３と、ヘッド部材１２３を回転させる回転機構１０５とを備えている。
ケース体１１１は、断面略矩形の筒状に形成され、４枚の側板部１１１ａのうちひとつの側板部１１１ａの後部には、後述する位置決め凸部１５７が挿入される位置決め開口部１１２が形成されている。
位置決め開口部１１２は、前後方向に沿うスリット状に形成されている。位置決め開口部１１２の前部には位置決め凸部１５７が嵌合する第１嵌合凹部１１３が形成され、位置決め開口部１１２の後端には、位置決め凸部１５７が嵌合する第２嵌合凹部１１４が形成されている。
図３２および図３４Ａ〜図３４Ｄに示す状態では、位置決め凸部１５７が第２嵌合凹部１１４に嵌合することによって、送り機構１０３および回転機構１０５が位置決めされている。
ケース体１１１の前端には、挿入部１２０が挿通する挿通口１１１ｃが形成されている。
【００５５】
図３５〜図３７に示すように、支持体１５１は、前後方向に沿う長板状の基板１５３と、基板１５３の内面１５３ａから突出して形成された挿入凸部１５４と、基板１５３の両側縁部から内面１５３ａ側に突出して形成された側板１５５と、一方の側板１５５に形成された鋸歯状のギア受け部１５６と、基板１５３の外面１５３ｂに設けられた位置決め凸部１５７と、基板１５３の後端縁部から内面１５３ａ側に延出して形成された後端板１５８と、後端板１５８の前面１５８ａに前方に突出して形成された保持凸部１５９とを備えている。
【００５６】
図３６Ｂおよび図３７に示すように、側板１５５は、基板１５３からの突出高さがほぼ一定の側板基部１６７と、側板基部１６７の後方に設けられ、側板基部１６７に比べ高く突出した側板突出部１６８とからなる。
図３６Ｃおよび図３７に示すように、ギア受け部１５６は、一方の側板部１５５の内面側、詳しくは側板基部１６７の内面側に、他方の側板１５５に向けて突出して形成された複数の受け歯部１５６ａからなる。受け歯部１５６ａは、支持体１５１の長さ方向（前後方向）に配列されている。
【００５７】
挿入凸部１５４は、略円筒状に形成されている。挿入凸部１５４の突出高さおよび外径は、回転筒部１８２のカム溝１８５に嵌合可能となるように設定されている。
図３６Ｂおよび図３６Ｃに示すように、一方の側板１５５の下面側、詳しくは側板基部１６７の下面側には、下方に突出する当接凸部１５５ａが形成されている。図示例では、当接凸部１５５ａは突出方向に徐々に幅が狭くなる略三角形状に形成され、前面１５５ｂは基板１５３に対し傾斜した傾斜面となっている。
【００５８】
図３６Ａに示すように、基板１５３の後部には、開口部１６４が形成されている。開口部１６４内には、開口部１６４の前端１６４ａから後方に向けて板状の弾性片１６５が延出して形成されている。
図３６Ｂに示すように、弾性片１６５は、延出方向に向かって図中上方に傾斜して形成すると、基板１５３とケース体１１１との距離を十分に確保でき、しかも位置決め凸部１５７を嵌合凹部１１３、１１４に確実に係止させることができるため好ましい。
上述の位置決め凸部１５７は、弾性片１６５の後端部の上面（外面）から上方に突出して形成されている。
弾性片１６５の上面には、位置決め凸部１５７より前方に、係止凸部１６６が形成されている。
弾性片１６５は、弾性的な曲げ変形により後端部が上下動できるように構成することによって、位置決め凸部１５７を嵌合凹部１１３、１１４に対し係脱可能とすることができる。
【００５９】
図３５、図３８および図３９に示すように、回転機構１０５は、支持体１５１に対し軸回りに回転可能な回転シャフト１５２を備えている。
回転シャフト１５２は、ガイド筒部１８１と、ガイド筒部１８１の後端に設けられた回転筒部１８２とを備えている。
回転シャフト１５２内には、清掃体１０２が挿通する挿通孔１８３が形成されている。挿通孔１８３はガイド筒部１８１の前端から回転筒部１８２の後端にわたって形成されている。
ガイド筒部１８１は略円筒状に形成され、前端部において、挿通孔１８３にヘッド部材１２３の挿入部１９１が挿入されるようになっている。ガイド筒部１８１の前端部の内面には、内面が平坦に形成された回転止部１８４が形成されている。
【００６０】
回転筒部１８２は略円筒状に形成され、その外面には、支持体１５１の挿入凸部１５４が挿入されるカム溝１８５が形成されている。
カム溝１８５は、前後方向にわたって、少なくとも一部が回転筒部１８２の軸方向に対し傾斜して形成されている。このため、後述するように、回転シャフト１５２が前後方向に移動すると、回転筒部１８２がカム溝１８５に沿って移動することによって、回転シャフト１５２は軸回りに回転する。図示例では、カム溝１８５は螺旋状に形成されている。
【００６１】
図４０〜図４６に示すように、ヘッド部材１２３は、ガイド筒部１８１の挿通孔１８３に挿通される挿入部１９１と、挿入部１９１の前端に形成されたフランジ部１９２と、フランジ部１９２の前面から前方に延出する略円筒状の先端部１２８とを備えている。
先端部１２８の先端面は、清掃体１０２を接合端面１６１ａに押し当てる押圧面１２４である。
【００６２】
図４１、図４５に示すように、押圧面１２４には、清掃体１０２が挿通する開口部であるガイド口部１２５Ａ、１２５Ｂが形成されている。
これらのうち一方のガイド口部１２５Ａは、送り機構１０３からの清掃体１０２を押圧面１２４に導くものであって、図示例では断面略矩形に形成されている。他方のガイド口部１２５Ｂは、押圧面１２４を通過した清掃体１０２を送り機構１０３に導くものであって、図示例では断面略矩形に形成されている。
ガイド口部１２５Ａ、１２５Ｂを形成することによって、清掃体２の脱落を確実に防止できる。
【００６３】
先端部１２８の側面には、清掃体１０２の送り移動をガイドするガイド溝１２６Ａ、１２６Ｂを形成するのが好ましい。先端部１２８は、先端部が先端筒部１２１ｂから突出するように形成されている。ガイド溝１２６Ａ、１２６Ｂはフランジ部１９２および挿入部１９１の側面にも形成されている。
ガイド溝１２６Ａ、１２６Ｂはガイド口部１２５Ａ、１２５Ｂに即した位置に形成される。
挿入部１９１には、ガイド筒部１８１に形成された回転止部１８４に即した形状の平坦部１９３が形成されており、平坦部１９３が回転止部１８４に係止することで、ヘッド部材１２３がガイド筒部１８１に対して回転しないようになっている。
【００６４】
図３３、図３５、図４１および図４７に示すように、ヘッド部材１２３には、供給リール１３０から引き出された清掃体１０２が巻き回されている。
図示例では、清掃体１０２は、工具本体１１０内の供給リール１３０から回転シャフト１５２の挿通孔１８３内を通り、ヘッド部材１２３のガイド溝１２６Ａ、ガイド口部１２５Ａを通って押圧面１２４に至り、ガイド口部１２５Ｂ、ガイド溝１２６Ｂを経て巻取リール１３１に達している。
【００６５】
清掃体１０２は、特に限定されるものではなく、公知の適当な清浄布（不織布や織布）を糸状（または紐状）に加工したものを採用することができる。例えば、ポリエステルやナイロンなどの極細の繊維で構成されたものが例示できる。清掃体２の断面形状は特に限定されず、例えば略円形、多角形等とすることができる。
清掃体１０２としては、例えば直径０．１〜１ｍｍ、好ましくは０．２〜０．３ｍｍのものが好適である。
糸状の清掃体１０２は、テープ状のものより幅が狭いため、先端部１２８の外径が小さい場合でも、設計上、ガイド口部１２５Ａ、１２５Ｂを形成するのが容易である。
なお、清掃体１０２としては、細巾のテープ状のものを用いることもできる。
【００６６】
図４７における符号１９４は、ガイド筒部１８１の前端とフランジ部１９２との間に設けられた付勢手段（例えばコイルスプリング）である。付勢手段１９４は、ヘッド部材１２３を接合端面１６１ａに押し当てたときにヘッド部材１２３を前方に付勢するものである。
【００６７】
図４８に示すように、送り機構１０３は、清掃体１０２を巻装した供給リール１３０と、使用後の清掃体１０２を巻き取って回収する巻取リール１３１と、これらが回転可能に装着される支持部１３５と、巻取リール１３１に装着されるギア１３８と、支持部１３５に形成された保持筒部１３９と、保持筒部１３９に装着された付勢手段１４０（例えばコイルスプリング）と、押さえ部１３４とを備えている。
【００６８】
支持部１３５は、前後方向に沿う長板状の基板１４１と、基板１４１の内面１４１ａに設けられて供給リール１３０が回転可能に装着される供給リール支持軸１３２と、巻取リール１３１が回転可能に装着される巻取リール支持軸１３３と、基板１４１の長さ方向中間部から内面１４１ａ側に延出して形成された仕切板１４２と、基板１４１の後端部から内面１４１ａ側に延出して形成された後端板１４３と、基板１４１の一方の側縁部から内面１４１ａ側に延出して形成された側板１４４と、基板１４１の後端部から内面１４１ａ側に延出して形成された突出片１４６とを備えている。
【００６９】
基板１４１には、リール１３０、１３１の径方向に対し垂直に延出する２つの延出板１４５、１４５が形成され、延出板１４５、１４５の先端には、それぞれリール１３０、１３１に向けて突出する係止爪１４５ａ、１４５ａが形成されている。延出板１４５は弾性的に曲げ変形可能であり、延出板１４５の曲げ変形によって、係止爪１４５ａはリール１３０、１３１に対し接近および離間する方向に移動可能である。
基板１４１の前端には、筒体基部１２２の挿通筒部１９６が嵌合する切欠１４１ｂが形成されている。
【００７０】
保持筒部１３９は円筒状に形成され、後端板１４３の後面から後方に延出して形成されている。
付勢手段１４０の前端は後端板１４３に当接し、後端は支持体１５１の保持凸部１５９に嵌合した状態で後端板部１５８に当接している。
押さえ部１３４は、リール１３０、１３１およびギア１３８の脱落を防ぐためのもので、前後方向に延出する長板状の本体部１３４ａの前端および後端に、リール支持軸１３２、１３３に嵌合可能な嵌合部１３４ｂ、１３４ｃが形成されている。
押さえ部１３４によって、リール１３０、１３１が清掃体１０２に引っ張られて傾いたり支持軸１３２、１３３から外れるのを防止できる。
【００７１】
仕切板１４２には、清掃体１０２が通過する通過凹部１４２ａが形成されている。
供給リール支持軸１３２および巻取リール支持軸１３３は、仕切板１４２より後方に形成されている。
供給リール１３０および巻取リール１３１は、清掃体１０２が巻き付けられる胴部１４７と、胴部１４７の一端に設けられた第１端板１４８と、胴部１４７の他端に設けられた第２端板１４９とを備えている。
第１端板１４８の外面には、周方向に沿って配列された複数の係止凹部（図示略）が形成されており、延出板１４５の係止爪１４５ａが前記係止凹部に係合することにより、リール１３０、１３１の逆方向回転が阻止される。第２端板１４９の外面には、周方向に沿って配列された複数の係止凸部１４９ａが形成されている。
リール１３０、１３１は、胴部１４７に支持軸１３２、１３３を挿通させることによって支持部１３５に装着される。
【００７２】
ギア１３８は、円板状の基板１８７と、基板１８７の一方の面に形成された歯車部１８８とを有する。基板１８７の他方の面には、巻取リール１３１の係止凸部１４９ａに係止する係止突起１８７ａが形成されている。
歯車部１８８は、周方向に沿って配列された複数の歯部１８８ａを有し、これら歯部１８８ａは、支持体１５１のギア受け部１５６の受け歯部１５６ａに噛み合うように形成されている。
ギア１３８は、巻取リール１３１の第２端板１４９に重ねて設置される。基板１８７の係止突起１８７ａは第２端板１４９の係止凸部１４９ａに係止するため、ギア１３８の回転に従って巻取リール１３１も回転する。
係止突起１８７ａは、ギア１３８が巻き取り方向とは逆の方向に回転する場合には、係止凸部１４９ａには係止しないように形成されている。
【００７３】
突出片１４６は、曲げ変形可能な弾性片であり、支持体１５１が送り機構１０３に対し前方に移動する際に支持体１５１の当接凸部１５５ａに当接するように形成されている。
突出片１４６の先端部の後面側には、凸部１４６ａを形成することができる。
【００７４】
図３５、図４９および図５０に示すように、挿入部１２０は、挿入筒体１２１と、挿入筒体１２１に挿通するヘッド部材１２３とを備えている。
挿入筒体１２１は、筒体基部１２２と、その先端に設けられた筒体先端部１２９とを備えている。
図４９に示すように、筒体基部１２２は、挿通筒部１９６と、挿通筒部１９６の後端に設けられた保持枠部１９７とを備えている。
挿通筒部１９６は、略円筒状に形成され、回転シャフト１５２のガイド筒部１８１が挿通可能な挿通孔１９８が形成されている。
保持枠部１９７は、断面矩形の筒状に形成され、その内部に回転シャフト１５２の回転筒部１８２を収容できる。保持枠部１９７を構成する４つの側板１９９のうちひとつである側板１９９ａには、前後方向に沿って、支持体１５１の挿入凸部１５４が挿入されるスリット２００が形成されている。
保持枠部１９７は、送り機構１０３の仕切板１４２の前面に当接可能となるよう形成される。
【００７５】
図５０に示すように、筒体先端部１２９は、フランジ部１２１ａの後面側に設けられた嵌合筒部１２１ｃと、フランジ部１２１ａの前面側から前方に延びる円筒状の先端筒部１２１ｂとを有する。
嵌合筒部１２１ｃは筒体基部１２２の先端の挿通孔１９８に着脱自在に嵌合するように形成するのが好ましい。嵌合筒部１２１ｃを筒体基部１２２の挿通孔１９８に嵌合するように形成することによって、筒体先端部１２９の構造を簡略化し、金型作製に必要なコストを抑制することができる。
また、筒体先端部１２９を筒体基部１２２に着脱自在とすることによって、光アダプタ７０の仕様に合わせて筒体先端部１２９を選択使用することができるため、複数のタイプの光アダプタ７０に適用可能となる。
先端筒部１２１ｂには、回転シャフト１５２のガイド筒部１８１およびヘッド部材１２３が挿通する挿通孔１２１ｄが形成されている。
先端筒部１２１ｂは、コネクタ収容穴７２に挿入したときに挿入方向からずれた方向の変位が規制されるように形成するのが好ましい。
挿入部１２０は、挿入筒体１２１がケース体１１１の挿通口１１１ｃに挿通して、ケース体１１１から前方に突出している。
【００７６】
図３２に示すように、挿入部１２０は、工具本体１１０に対して、前後方向（伸縮方向）に移動可能である。
図３２および図３４Ａ〜図３４Ｄに示す状態では、支持体１５１の位置決め凸部１５７が、ケース体１１１の位置決め開口部１１２の後端に形成された第２嵌合凹部１１４に嵌合しているため、送り機構１０３および回転機構１０５は、ケース体１１１内の比較的後方に位置決めされている。この位置を後方位置という。
【００７７】
位置決め凸部１５７を押圧して第２嵌合凹部１１４に対する嵌合を解除し、位置決め開口部１１２に沿って前方に移動させ、第１嵌合凹部１１３に嵌合させることによって、送り機構１０３および回転機構１０５を前記後方位置よりも前方に位置決めすることができる。この位置を前方位置という。
送り機構１０３および回転機構１０５を前方位置に配置することによって、挿入部１２０も前方に配置される。
図６２は、挿入部１２０が後方位置にある状態の清掃工具１０１を示し、図６３は、挿入部１２０が前方位置にある状態の清掃工具１０１を示すものである。
挿入部１２０が前方位置にある状態では、工具本体１１０から延出する部分の挿入部１２０を長くできるため、対象となる光アダプタ７０に近接する他の光アダプタ７０に影響を与えないように清掃作業を行うのが容易となる。
【００７８】
図３４Ａ〜図３４Ｄおよび図３５に示すように、挿入部１２０の先端には、キャップ１７２を装着できる。キャップ１７２は、略スリーブ状（筒状）に形成されたガイド本体１７３と、ガイド本体１７３の一端にヒンジ１７５によって連結された蓋１７４とを有する。
ガイド本体１７３の蓋１７４側の一端には、光プラグ６０が挿入されるコネクタ挿入口１０６（プラグ挿入口）が開口しており、ここに光プラグ６０を挿入することにより、光プラグ６０の接合端面６１ａを、清掃体１０２によって拭き取り清掃できる。
蓋１７４は、保持紐部１７７を介してケース体１１１に接続されているため、蓋１７４の紛失を防ぐことができる。
【００７９】
次に、清掃工具１０１の使用方法の一例を説明する。
図５１、図５２および図５６に示すように、挿入部１２０の挿入筒体１２１を光アダプタ７０のコネクタ挿入口７１から挿入すると、挿入筒体１２１は、外面が光アダプタ７０の内壁７０ａにより位置決めされながらコネクタ収容穴７２に進入する。
これによって、押圧面１２４上の清掃体１０２は、光プラグ６０の接合端面６１ａの適切な位置（ここでは、光ファイバ穴６１ｂとその周辺）に当接する。
【００８０】
図５３に示すように、工具本体１１０をさらに挿入方向に押圧すると、工具本体１１０はこの方向に移動する。この際、挿入部１２０の先端は、フェルール６１や光アダプタ７０内の壁部に押され、挿入部１２０は工具本体１１０に対して相対的に後方（すなわち短縮方向）に移動する。
図５４および図５５に示すように、工具本体１１０の移動によって、支持体１５１は回転シャフト１５２に対し前方移動する。これによって、回転筒部１８２はカム溝１８５に沿って周方向に移動し、回転シャフト１５２は軸回りに回転する。
図５６に示すように、回転シャフト１５２の回転によって、ヘッド部材１２３が軸回りに回転するため、清掃体１０２は接合端面６１ａに当接した状態のままヘッド部材１２３の軸回りに回転し、接合端面６１ａが拭き取り清掃される。
【００８１】
図３５、図３７および図５８Ａ〜図５８Ｃに示すように、支持体１５１が送り機構１０３に対し前方移動するため、ギア受け部１５６によって、ギア１３８の歯車部１８８に回転方向の力が与えられる。ギア１３８の回転によって、巻取リール１３１も回転するため、清掃体１０２が巻き取られる。
これに伴って、清掃体１０２が供給リール１３０から引き出され、ヘッド部材１２３の押圧面１２４を通って送り移動される。１回の工具本体１１０の移動による清掃体１０２の巻き取り長さは、一定量となる。
清掃体１０２の送り移動によって、接合端面６１ａに付着しているゴミや埃、油分などの汚れが確実に拭き取られる。
挿入部１２０を光アダプタ７０から引き抜く際には、挿入部１２０は、付勢手段１４０の弾性力によって工具本体１１０に対して相対的に前方（すなわち伸長方向）に移動し、図５２等に示す通常位置に戻る。
【００８２】
図５７、図５８Ａ、図５８Ｂに示すように、工具本体１１０を挿入方向に移動させる際には、支持体１５１の移動により、突出片１４６の先端が当接凸部１５５ａの前面１５５ｂに当接し、突出片１４６は弾性的な曲げ変形により前方に傾いた状態となる。
図５８Ｃに示すように、支持体１５１がさらに移動すると、突出片１４６は当接凸部１５５ａから外れ、弾性的な復元力により凸部１４６ａが側板突出部１６８の前端面１６８ａに衝突する。この際、衝突音が発生するため、工具本体１１０が十分な距離移動したことが確認できる。
【００８３】
図５９Ａ〜図６１Ｂに示すように、支持体１５１は、ケース体１１１の後部開口１１１ｂから取り出し可能とすることができる。以下、支持体１５１をケース体１１１から取り出す過程について説明する。
位置決め凸部１５７を押圧して弾性片１６５を下方に弾性変形させ、位置決め凸部１５７を第２嵌合凹部１１４から外すと、支持体１５１は後方移動可能となる。
図６０Ａおよび図６０Ｂに示すように、取り外しのため支持体１５１を後方移動させる過程の中間位置において、係止凸部１６６が位置決め開口部１１２の後端部に達すると、この後端部に係止凸部１６６が係止する。
このように、支持体１５１の取り外しの過程で、係止凸部１６６が位置決め開口部１１２の後端部に係止するため、付勢手段１４０の付勢力により支持体１５１がケース体１１１から飛び出してしまうのを防ぐことができる。
【００８４】
図６１Ａおよび図６１Ｂに示すように、係止凸部１６６を押圧して弾性片１６５を下方に弾性変形させ、係止凸部１６６を位置決め開口部１１２から外すと、支持体１５１は後方移動可能となるため、ケース体１１１から取り出すことができる。
【００８５】
清掃工具１０１では、ヘッド部材１２３の押圧面１２４に、清掃体１０２を押圧面１２４に導くガイド口部１２５Ａ、１２５Ｂが形成されているので、清掃体１０２が押圧面１２４から外れるのを防ぐことができる。従って、光プラグ６０の接合端面６１ａを確実に清掃できる。
【００８６】
清掃工具１０１では、支持体１５１と、支持体１５１に対し軸回りに回転可能な回転シャフト１５２とを備えた回転機構１０５を備えている。
回転シャフト１５２は、支持体１５１に形成された挿入凸部１５４が挿入されるカム溝１８５が形成された回転筒部１８２を備えており、前後方向の移動により回転筒部１８２がカム溝１８５に沿って移動することによって軸回りに回転するようにされているので、簡単な機構でヘッド部材１２３を軸回りに回転させることができる。
回転機構１０５の構造が簡略であるため、工具本体１１０のサイズを小さくでき、全体を小型化できる。
【００８７】
清掃工具１０１では、送り機構１０３が、供給リール１３０と、巻取リール１３１と、巻取リール１３１に装着されるギア１３８とを備えている。ギア１３８は、ギア受け部１５６に嵌合可能であり、送り機構１０３が移動することによりギア受け部１５６により回転し、巻取リール１３１を回転させて清掃体１０２を巻き取ることができる。このため、簡単な機構で清掃体１０２を送り移動させることができる。
送り機構１０３の構造が簡略であるため、工具本体１１０のサイズを小さくでき、全体を小型化できる。
【００８８】
本発明は、種々のタイプの光ファイバコネクタに適用することができ、例えば、ＪＩＳ  Ｃ  ５９７３に制定されるＳＣ形光コネクタ（ＳＣ：Ｓｉｎｇｌｅ  ｆｉｂｅｒ  Ｃｏｕｐｌｉｎｇ  ｏｐｔｉｃａｌ  ｆｉｂｅｒ  ｃｏｎｎｅｃｔｏｒ）、ＪＩＳ  Ｃ  ５９８３に制定されるＭＵ形光コネクタ（ＭＵ：ＭｉｎｉａｔｕｒｅーＵｎｉｔ  ｃｏｕｐｌｉｎｇ  ｏｐｔｉｃａｌ  ｆｉｂｅｒ  ｃｏｎｎｅｃｔｏｒ）、ＬＣ形光コネクタ（ルーセント社商標）、ＳＣ２形光コネクタ等の単心光コネクタに適用することができる。ＳＣ２形光コネクタとは、ＳＣ形光コネクタから、ハウジングの外側に装着されるつまみを省略したものである。
【００８９】
次に、ヘッド部材の他の例について説明する。以下の説明において、上述のヘッド部材１２３との共通部分については同じ符号を付してその説明を省略する。
図６４〜図７０は、ヘッド部材の他の例を示すもので、ここに示すヘッド部材１２３Ａは、ガイド筒部１８１の挿通孔１８３に挿通される挿入部１９１と、挿入部１９１の前端に形成されたフランジ部１９２と、フランジ部１９２の前面から前方に延出する略円筒状の先端部１２８とを備えている。先端部１２８の先端面は、清掃体１０２を接合端面６１ａに押し当てる押圧面１２４である。
ヘッド部材１２３Ａは、図４０〜図４６に示すヘッド部材１２３に比べ、先端部１２８が細く形成されている。図示例では、先端部１２８の外径は挿入部１９１の幅より小さくされている。この外径は例えば１．２５ｍｍである。
図６５に示すように、押圧面１２４には、清掃体１０２が挿通する開口部であるガイド口部１２５Ａ、１２５Ｂが形成されている。
清掃体１０２は、供給リール１３０からガイド溝１２６Ａ、ガイド口部１２５Ａを通って押圧面１２４に至り、ガイド口部１２５Ｂ、ガイド溝１２６Ｂを経て巻取リール１３１に巻き取られる。
上述のように、本発明では糸状の清掃体１０２を使用できる。糸状の清掃体１０２はテープ状のものより幅が狭いため、設計上、先端部１２８の外径が小さく場合でも、ガイド口部１２５Ａ、１２５Ｂを形成するのが容易である。
このため、清掃体１０２の脱落を確実に防止し、かつ先端部１２８を細く形成することが可能となる。
【００９０】
図示例では、光アダプタ７０および光プラグ６０を対象としたが、本発明の清掃工具の対象はこれに限定されず、光コネクタレセプタクル（詳細には、レセプタクルハウジング）を、コネクタ用位置決めハウジングとして機能させた構成も採用可能である。
この場合には、スリーブ状のレセプタクルハウジング内に組み込まれたフェルールが本発明に係る光コネクタとして機能する。レセプタクルハウジングの内側空間であるコネクタ収容穴に、清掃工具の挿入部を挿入することで、フェルールの接合端面を清掃できる。
【００９１】
以下、本発明の清掃工具の第４の実施形態である清掃工具２０１の構造を説明する。  図７１Ａ〜図７１Ｄは、清掃工具２０１の前面図、背面図、側面図、および正面図である。図７２は、清掃工具２０１の分解斜視図である。図７３は、コネクタ清掃用アタッチメント２４０を示す正面図である。図７４は、コネクタ清掃用アタッチメント２４０を示す断面図である。図７５は、コネクタ清掃用アタッチメント２４０の前面図である。図７６は、コネクタ清掃用アタッチメント２４０の後面図である。図７７は、コネクタ清掃用アタッチメント２４０の斜視図である。図７８は、コネクタ清掃用アタッチメント２４０の断面状態の斜視図である。図７９は、コネクタ清掃用アタッチメント２４０の断面図であって、蓋部２４２を開閉動作する際の切り欠き２５３の軌跡を示す図である。図８０は、コネクタ清掃用アタッチメント２４０に光コネクタ６０を装着した状態を示す断面図である。
【００９２】
図７１Ａ〜図７１Ｄおよび図７２に示すように、清掃工具２０１は、工具本体２１０と、この工具本体２１０から突出した挿入部２２０と、挿入部２２０の先端に取り付けられたコネクタ清掃用アタッチメント２４０とを備えている。なお、以下の説明において、工具本体２１０に対する挿入部２２０の突出方向（挿入方向）を前方といい、その反対方向を後方ということがある。
【００９３】
工具本体２１０は、ケース体２１１と、その内部に設けられた支持体２５１と、清掃体２０２の供給及び巻き取りを行う送り機構２０３と、ヘッド部材２２３を回転させる回転機構２０５とを備えている。
ケース体２１１は、断面略矩形の筒状に形成され、４枚の側板部２１１ａのうちひとつの側板部２１１ａの後部には、後述する位置決め凸部２５７が挿入される位置決め開口部２１２が形成されている。
位置決め開口部２１２は、前後方向に沿うスリット状に形成されている。位置決め開口部２１２の前部には位置決め凸部２５７が嵌合する第１嵌合凹部２１３が形成され、位置決め開口部２１２の後端には、位置決め凸部２５７が嵌合する第２嵌合凹部２１４が形成されている。
ケース体２１１の前端には、挿入部２２０が挿通する挿通口２１１ｃが形成されている。
【００９４】
図７２に示すように、支持体２５１は、前後方向に沿う長板状の基板２５３と、基板２５３の内面から突出して形成された挿入凸部２５４と、基板２５３の両側縁部から内面側に突出して形成された側板と、一方の側板に形成された鋸歯状のギア受け部２５６と、基板２５３の外面に設けられた位置決め凸部２５７と、基板２５３の後端縁部から内面側に延出して形成された後端板２５８とを備えている。
挿入凸部２５４は、回転筒部２８２のカム溝２８５に嵌合可能となるように設定されている。
【００９５】
回転機構２０５は、支持体２５１に対し軸回りに回転可能な回転シャフト２５２を備えている。
回転シャフト２５２は、ガイド筒部２８１と、ガイド筒部２８１の後端に設けられた回転筒部２８２とを備えている。
回転シャフト２５２内には、清掃体２０２が挿通する挿通孔２８３が形成されている。
ガイド筒部２８１は略円筒状に形成され、前端部において、挿通孔２８３にヘッド部材２２３の挿入部２９１が挿入されるようになっている。
【００９６】
回転筒部２８２は略円筒状に形成され、その外面には、支持体２５１の挿入凸部２５４が挿入されるカム溝２８５が形成されている。
カム溝２８５は、前後方向にわたって、少なくとも一部が回転筒部２８２の軸方向に対し傾斜して形成されている。このため、回転シャフト２５２が前後方向に移動すると、回転筒部２８２がカム溝２８５に沿って移動することによって、回転シャフト２５２は軸回りに回転する。図示例では、カム溝２８５は螺旋状に形成されている。
【００９７】
図７２および図８１に示すように、ヘッド部材２２３は、ガイド筒部２８１の挿通孔２８３に挿通される挿入部２９１と、挿入部２９１の前端に形成されたフランジ部２９２と、フランジ部２９２の前面から前方に延出する略円筒状の先端部２２８とを備えている。
先端部２２８の先端面は、清掃体２０２を接合端面６１ａに押し当てる押圧面２２４である。
図８１に示すように、先端部２２８には、清掃体２０２の送り移動をガイドするガイド溝２２６Ａ、２２６Ｂを形成するのが好ましい。先端部２２８は、先端部が先端筒部２２１ｂから突出するように形成されている。
【００９８】
図７２および図８１に示すように、ヘッド部材２２３には、送り機構２０３の供給リール２３０から引き出された清掃体２０２が巻き回されている。
図示例では、清掃体２０２は、工具本体２１０内の供給リール２３０から回転シャフト２５２の挿通孔２８３内を通り、ヘッド部材２２３のガイド溝２２６Ａを通って押圧面２２４に至り、ガイド溝２２６Ｂを経て巻取リール２３１に達している。
【００９９】
清掃体２０２は、特に限定されるものではなく、公知の適当な清浄布（不織布や織布）を糸状（または紐状）に加工したものを採用することができる。例えば、ポリエステルやナイロンなどの極細の繊維で構成されたものが例示できる。清掃体２０２の断面形状は特に限定されず、例えば略円形、多角形等とすることができる。
【０１００】
図７２に示すように、送り機構２０３は、清掃体２０２を巻装した供給リール２３０と、使用後の清掃体２０２を巻き取って回収する巻取リール２３１と、これらが回転可能に装着される支持部２３５と、巻取リール２３１に装着されるギア２３８と、支持部２３５に形成された保持筒部２３９と、保持筒部２３９に装着された付勢手段２４０（例えばコイルスプリング）と、押さえ部２３４とを備えている。
【０１０１】
挿入部２２０は、挿入筒体２２１と、挿入筒体２２１に挿通するヘッド部材２２３とを備えている。
挿入筒体２２１は、筒体基部２２２と、その先端に設けられた筒体先端部２２９とを備えている。
筒体基部２２２は、回転シャフト２５２のガイド筒部２８１が挿通可能な挿通筒部２９６と、挿通筒部２９６の後端に設けられた保持枠部２９７とを備えている。
保持枠部２９７は、断面矩形の筒状に形成され、その内部に回転シャフト２５２の回転筒部２８２を収容できる。保持枠部２９７には、前後方向に沿って、支持体２５１の挿入凸部２５４が挿入されるスリット３００が形成されている。
挿入部２２０は、挿入筒体２２１がケース体２１１の挿通口２１１ｃに挿通して、ケース体２１１から前方に突出している。
【０１０２】
図７３〜図７８に示すように、コネクタ清掃用アタッチメント２４０は、挿入部２２０の先端に装着される本体部２４１と、本体部２４１にヒンジ結合された蓋部２４２とを備えている。
本体部２４１は、挿通孔２４３ａを有する基板部２４３と、基板部２４３の周縁から後方に延出し挿入筒体２２１が挿入される外筒部２４４と、基板部２４３から後方に延出する工具側ガイド筒部２４５と、基板部２４３から前方に延出するコネクタ側ガイド筒部２４６とを備えている。
挿通孔２４３ａは、光コネクタ６０のフェルール６１および／またはヘッド部材２２３が挿通するように形成されている。
【０１０３】
工具側ガイド筒部２４５は、ヘッド部材２２３が挿入されて位置決めされるように形成されている。図示例では、工具側ガイド筒部２４５は、内径がヘッド部材２２３の外径にほぼ等しい円筒状とされている。
コネクタ側ガイド筒部２４６は、フェルール６１が挿入されて位置決めされるように形成されている。図示例では、コネクタ側ガイド筒部２４６は、内径がフェルール６１の外径にほぼ等しい円筒状とされている。
図示例では、ガイド筒部２４５、２４６は、互いに同心となるよう形成されており、挿通孔２４３ａとほぼ同じ内径を有し、挿通孔２４３ａを介して互いに連通している。
ガイド筒部２４５、２４６の内径は、挿入される部材、すなわちヘッド部材２２３およびフェルール６１の外径に合わせて設定することができる。このため、内径が互いに異なっていてもよい。
本体部２４１は、保持紐部２４７を介してケース体２１１に接続されている。
【０１０４】
蓋部２４２は、頂板部２５１と、その周縁から延出して本体部２４１にヒンジ部２５１ａでヒンジ結合された蓋筒部２５２とを備えている。
蓋筒部２５２は、閉止状態においてコネクタ側ガイド筒部２４６を囲んで形成されている。
蓋筒部２５２の内面には、切り欠き２５３が形成されている。
切り欠き２５３は、断面略矩形状とされ、蓋筒部２５２の軸方向全長にわたって形成されており、これによって蓋筒部２５２は薄肉化されている。
切り欠き２５３は、蓋筒部２５２において中心軸を介してヒンジ部２５１ａの回転対称位置に相当する位置に形成することができる。
【０１０５】
図７９に示すように、切り欠き２５３は、蓋部２４２をヒンジ部２５１ａにおいて開閉動作する際に、コネクタ側ガイド筒部２４６の一部（先端部）が内部を通過するように形成されている。
切り欠き２５３によって、蓋部２４２の外径を大きくせずに、蓋部２４２が開閉の際にコネクタ側ガイド筒部２４６に当たらないようにすることができる。このため、小型化の点で好適である。
【０１０６】
次に、清掃工具１の使用方法の一例を説明する。
図８０および図８１に示すように、光コネクタ６０のフェルール６１をコネクタ側ガイド筒部２４６内に挿入すると、フェルール６１は、コネクタ側ガイド筒部２４６により案内されながら進入する。これによって、押圧面２２４上の清掃体２０２は、光コネクタ６０の接合端面６１ａの適切な位置（ここでは、光ファイバ穴６１ｂとその周辺）に当接する。
【０１０７】
工具本体２１０を前方に押圧すると、工具本体２１０はこの方向に移動する。この際、挿入部２２０の先端は、光コネクタ６０に押され、挿入部２２０は工具本体２１０に対して相対的に後方（すなわち短縮方向）に移動する。
図８２に示すように、工具本体２１０の移動によって、支持体２５１は回転シャフト２５２に対し前方移動する。これによって、回転筒部２８２はカム溝２８５に沿って周方向に移動し、回転シャフト２５２は軸回りに回転する。
回転シャフト２５２の回転によって、ヘッド部材２２３が軸回りに回転するため、清掃体２０２は接合端面６１ａに当接した状態のままヘッド部材２２３の軸回りに回転し、接合端面６１ａが拭き取り清掃される。
【０１０８】
支持体２５１が送り機構２０３に対し前方移動するため、ギア受け部２５６によって、ギア２３８に回転方向の力が与えられ、巻取リール２３１が回転するため、清掃体２０２が巻き取られる。
これに伴って、清掃体２０２が供給リール２３０から引き出され、ヘッド部材２２３の押圧面２２４を通って送り移動される。
清掃体２０２の送り移動によって、接合端面６１ａに付着しているゴミや埃、油分などの汚れが確実に拭き取られる。
挿入部２２０を光コネクタ６０から引き抜く際には、挿入部２２０は、付勢手段２４０の弾性力によって工具本体２１０に対して相対的に前方（すなわち伸長方向）に移動する。
【０１０９】
清掃工具２０１では、コネクタ清掃用アタッチメント２４０の本体部２４１に工具側ガイド筒部２４５を形成することによって、ヘッド部材２２３を高精度に位置決めし、清掃体２０２と光コネクタ６０の接合端面６１ａとを精度よく対向させて当接させることができる。このため、優れた清掃効果を得ることができる。
また、コネクタ側ガイド筒部２４６を形成することによって、フェルール６１を高精度に位置決めし、清掃効果を高めることができる。
【０１１０】
また、蓋筒部２５２に、蓋部２４２を開閉動作する際に、コネクタ側ガイド筒部２４６が内部を通過する切り欠き２５３を形成したので、蓋部２４２の外径を大きくせずに、蓋部２４２が開閉の際にコネクタ側ガイド筒部２４６に当たらないようにすることができる。このため、小型化が可能である。
【０１１１】
本発明は、種々のタイプの光ファイバコネクタに適用することができ、例えば、ＪＩＳ  Ｃ５９７３に制定されるＳＣ形光コネクタ（ＳＣ：Ｓｉｎｇｌｅ  ｆｉｂｅｒ  Ｃｏｕｐｌｉｎｇ  ｏｐｔｉｃａｌ  ｆｉｂｅｒ  ｃｏｎｎｅｃｔｏｒ）、ＪＩＳ  Ｃ  ５９８３に制定されるＭＵ形光コネクタ（ＭＵ：ＭｉｎｉａｔｕｒｅーＵｎｉｔ  ｃｏｕｐｌｉｎｇ  ｏｐｔｉｃａｌ  ｆｉｂｅｒ  ｃｏｎｎｅｃｔｏｒ）、ＬＣ形光コネクタ（ルーセント社商標）、ＳＣ２形光コネクタ等の単心光コネクタに適用することができる。ＳＣ２形光コネクタとは、ＳＣ形光コネクタから、ハウジングの外側に装着されるつまみを省略したものである。
【０１１２】
図８２は、回転シャフトの他の例を示す斜視図である。
ここに示す回転シャフト１５２Ａは、ガイド筒部１８１の先端に、付勢手段１９４を内側から支持する一対の支持片１８１ａが先端方向に突出して形成されている点で、図３８および図３９に示す回転シャフト１５２と異なる。
【０１１３】
図８３は、コネクタ清掃用アタッチメントの他の例を示す斜視図である。図８４は、このコネクタ清掃用アタッチメントの断面図である。
ここに示すコネクタ清掃用アタッチメント２４０Ａは、コネクタ側ガイド筒部２４６Ａの先端部２４６ａが基端部２４６ｂに比べ細径とされている点で、図７３〜図７９に示すコネクタ清掃用アタッチメント２４０と異なる。
【産業上の利用可能性】
【０１１４】
本発明は、例えば光コネクタを、他の光コネクタと光接続する前に、接合端面を清掃するために用いることができる。
【符号の説明】
【０１１５】
１、１Ａ・・・光コネクタ清掃工具、２・・・清掃体、３・・・送り機構、５・・・回転機構、１０・・・工具本体、２０・・・挿入部、２１・・・挿入筒体、２２・・・筒体基部、２３・・・ヘッド部材、２４・・・押圧面、２５・・・ガイド溝、２９・・・筒体先端部、３０・・・供給リール、３１・・・巻取リール、３８・・・ギア、５１・・・支持体、５２・・・回転シャフト、５４・・・挿入凸部、５６・・・ギア受け部、６０・・・光プラグ（光コネクタ）、６１・・・フェルール、６１ａ・・・接合端面、７０・・・光アダプタ、７２・・・コネクタ収容穴、８２・・・回転筒部、８５・・・カム溝、１０１・・・光コネクタ清掃工具、１０２・・・清掃体、１０３・・・送り機構、１０５・・・回転機構、１１０・・・工具本体、１１１・・・ケース体、１１２・・・位置決め開口部、１１３、１１４・・・嵌合凹部、１２０・・・挿入部、１２１・・・挿入筒体、１２１ｃ・・・嵌合筒部、１２２・・・筒体基部、１２３、１２３Ａ・・・ヘッド部材、１２４・・・押圧面、１２５Ａ、１２５Ｂ・・・ガイド口部、１２９・・・筒体先端部、１３０・・・供給リール、１３１・・・巻取リール、１３８・・・ギア、１４６・・・突出片、１５１・・・支持体、１５２・・・回転シャフト、１５４・・・挿入凸部、１５５ａ・・・当接凸部、１５６・・・ギア受け部、１５７・・・位置決め凸部、１６６・・・係止凸部、１８２・・・回転筒部、１８５・・・カム溝、２０１・・・光コネクタ清掃工具、２０２・・・清掃体、２０３・・・送り機構、２１０・・・工具本体、２２０・・・挿入部、２２１・・・挿入筒体、２２３・・・ヘッド部材、２２４・・・押圧面、２４０・・・コネクタ清掃用アタッチメント、２４１・・・本体部、２４２・・・蓋部、２４３・・・基板部、２４３ａ・・・挿通孔、２４４・・・外筒部、２４５・・・工具側ガイド筒部、２４６・・・コネクタ側ガイド筒部、２５１・・・頂板部、２５２・・・蓋筒部、２５３・・・切り欠き。
【図１】
2010164997.tif 000003
【図２Ａ】
2010164997.tif 000004
【図２Ｂ】
2010164997.tif 000005
【図２Ｃ】
2010164997.tif 000006
【図３】
2010164997.tif 000007
【図４】
2010164997.tif 000008
【図５】
2010164997.tif 000009
【図６】
2010164997.tif 000010
【図７】
2010164997.tif 000011
【図８】
2010164997.tif 000012
【図９】
2010164997.tif 000013
【図１０】
2010164997.tif 000014
【図１１Ａ】
2010164997.tif 000015
【図１１Ｂ】
2010164997.tif 000016
【図１２】
2010164997.tif 000017
【図１３Ａ】
2010164997.tif 000018
【図１３Ｂ】
2010164997.tif 000019
【図１３Ｃ】
2010164997.tif 000020
【図１４】
2010164997.tif 000021
【図１５】
2010164997.tif 000022
【図１６】
2010164997.tif 000023
【図１７】
2010164997.tif 000024
【図１８Ａ】
2010164997.tif 000025
【図１８Ｂ】
2010164997.tif 000026
【図１９】
2010164997.tif 000027
【図２０】
2010164997.tif 000028
【図２１】
2010164997.tif 000029
【図２２】
2010164997.tif 000030
【図２３】
2010164997.tif 000031
【図２４Ａ】
2010164997.tif 000032
【図２４Ｂ】
2010164997.tif 000033
【図２５Ａ】
2010164997.tif 000034
【図２５Ｂ】
2010164997.tif 000035
【図２６Ａ】
2010164997.tif 000036
【図２６Ｂ】
2010164997.tif 000037
【図２６Ｃ】
2010164997.tif 000038
【図２６Ｄ】
2010164997.tif 000039
【図２７】
2010164997.tif 000040
【図２８】
2010164997.tif 000041
【図２９】
2010164997.tif 000042
【図３０】
2010164997.tif 000043
【図３１】
2010164997.tif 000044
【図３２】
2010164997.tif 000045
【図３３】
2010164997.tif 000046
【図３４Ａ】
2010164997.tif 000047
【図３４Ｂ】
2010164997.tif 000048
【図３４Ｃ】
2010164997.tif 000049
【図３４Ｄ】
2010164997.tif 000050
【図３５】
2010164997.tif 000051
【図３６Ａ】
2010164997.tif 000052
【図３６Ｂ】
2010164997.tif 000053
【図３６Ｃ】
2010164997.tif 000054
【図３７】
2010164997.tif 000055
【図３８】
2010164997.tif 000056
【図３９】
2010164997.tif 000057
【図４０】
2010164997.tif 000058
【図４１】
2010164997.tif 000059
【図４２】
2010164997.tif 000060
【図４３】
2010164997.tif 000061
【図４４】
2010164997.tif 000062
【図４５】
2010164997.tif 000063
【図４６】
2010164997.tif 000064
【図４７】
2010164997.tif 000065
【図４８】
2010164997.tif 000066
【図４９】
2010164997.tif 000067
【図５０】
2010164997.tif 000068
【図５１】
2010164997.tif 000069
【図５２】
2010164997.tif 000070
【図５３】
2010164997.tif 000071
【図５４】
2010164997.tif 000072
【図５５】
2010164997.tif 000073
【図５６】
2010164997.tif 000074
【図５７】
2010164997.tif 000075
【図５８Ａ】
2010164997.tif 000076
【図５８Ｂ】
2010164997.tif 000077
【図５８Ｃ】
2010164997.tif 000078
【図５９Ａ】
2010164997.tif 000079
【図５９Ｂ】
2010164997.tif 000080
【図６０Ａ】
2010164997.tif 000081
【図６０Ｂ】
2010164997.tif 000082
【図６１Ａ】
2010164997.tif 000083
【図６１Ｂ】
2010164997.tif 000084
【図６２】
2010164997.tif 000085
【図６３】
2010164997.tif 000086
【図６４】
2010164997.tif 000087
【図６５】
2010164997.tif 000088
【図６６】
2010164997.tif 000089
【図６７】
2010164997.tif 000090
【図６８】
2010164997.tif 000091
【図６９】
2010164997.tif 000092
【図７０】
2010164997.tif 000093
【図７１Ａ】
2010164997.tif 000094
【図７１Ｂ】
2010164997.tif 000095
【図７１Ｃ】
2010164997.tif 000096
【図７１Ｄ】
2010164997.tif 000097
【図７２】
2010164997.tif 000098
【図７３】
2010164997.tif 000099
【図７４】
2010164997.tif 000100
【図７５】
2010164997.tif 000101
【図７６】
2010164997.tif 000102
【図７７】
2010164997.tif 000103
【図７８】
2010164997.tif 000104
【図７９】
2010164997.tif 000105
【図８０】
2010164997.tif 000106
【図８１】
2010164997.tif 000107
【図８２】
2010164997.tif 000108
【図８３】
2010164997.tif 000109
【図８４】
2010164997.tif 000110